(57)【要約】      （修正有）【課題】本考案はプリザーブドフラワー・ドライフラワーをより品質を保ち美しく機能的に保存するための収納・ディスプレイＢＯＸとする。【解決手段】本体の主となる材料を天然の桐を使い、桐の防湿・防虫・断熱などの効果を生かせる工程とし、プリザーブドフラワーやドライフラワーを不適な環境から保護するために使いやすく、かつ美しく収納・ディスプレイするＢＯＸとする。【選択図】図１
0003130591.tif 000002
【実用新案登録請求の範囲】
【請求項１】
本体の主体を天然木の桐で作り、プリザーブドフラワーやドライフラワーを保存やディスプレイするための入れ物を作るにあたり、桐の防虫・防湿断熱効果を発揮さすため内部は絶対に無塗装として木の呼吸の妨げを和らげるものとし、さらに表に汚れ防止とデザインのためにする塗装にあたっては、エコロジーを考慮して、（社）日本塗料工業会登録／ホルムアルデヒド放散等級がＦ☆☆☆☆の規格の建築基準法で定められたホルムアルデヒドの放散量が最も少ない区分の水性のものを使用する。また、表の装飾にあたってはガラス製のビーズをポイントとしてあしらうデザインとする。以上を組み入れたプリザーブドフラワー・ドライフラワー収納ディスプレイＢＯＸとする。
【考案の詳細な説明】
【技術分野】
【０００１】本考案は、プリザーブドフラワー、ドライフラワーを桐の効果で湿気や虫から守り収納・ディスプレイするためのものである。
【背景技術】
【０００２】湿気を嫌うプリザーブドフラワー・ドライフラワーの保管やディスプレイにいつもなにか良い方法はないか悩んでいた。
【考案者が解決しようとす課題】
【０００３】市販で売られている収納箱やディスプレイＢＯＸ（例えばＭＤＦ材やプラスティックなど）の材質では密閉性が高すぎてプリザーブドフラワーやドライフラワーを早く傷めてしまいそうで安心して保管、ディスプレイできるものがなかった。従って、通気性がありながら防湿・防虫効果の高いプリザーブドフラワーやドライフラワーのための収納・ディスプレイＢＯＸが作れないかと適した材料を使いおしゃれで機能的な収納・ディスプレイＢＯＸが作れないであろうかと解決しようと考えた。
【課題を解決しようとするための手段】
【０００４】本考案は、プリザーブドフラワー・ドライフラワーの品質を落とす一番の原因が湿気であることに着目し、ものの湿気を防ぐ性質の材質は天然木の桐であることを考慮して本考案を考え始めた。かつ、デザイン的（サイズ・塗料・装飾）も安全に気持ちよく使用できることを目的とした。
【考案の効果】
【０００５】上述のように、本考案のプリザーブドフラワーディスプレイ・ドライフラワー収納ディスプレイＢＯＸは、美しく収納したりディスプレイしたりすることは勿論、材質に天然木の桐を使ったので花を湿気から守り、しかも持ち運びにも桐なので重量が軽く壁にフックなどでかけることも可能である。
【考案を実施するための最良の形態】
【０００６】本体の蓋を開閉するとき意外はすきまのない状態にした状態にデザインする。基本的には全材料：桐を使うほうが効果的だが、中に入れた花を表から見せたいものにするときには一部ガラスをＦＩＸに入れる工法にする。また、汚れ防止とデザインのためにする塗装にあたっては、エコロジーを考慮して、（社）日本塗料工業会登録／ホルムアルデヒド放散等級がＦ☆☆☆☆の規格の建築基準法で定められたホルムアルデヒドの放散量が最も少ない区分のものを使用する。また、表の装飾にあたってはガラス製のビーズをポイントとしてあしらうデザインとする。以上を組み入れたプリザーブドフラワー・ドライフラワー収納ディスプレイＢＯＸとする。
【実施例】
【０００７】以下、添付図面に従って一実施例を説明する。
【図１】
の１の本体蓋部の開閉は簡易にできるものとする。２の内部仕上げは天然の桐の効果を生かすため無塗装とする。３の表部仕上げは汚れ防止とデザインのためにする塗装は（社）日本塗料工業会登録／ホルムアルデヒド放散等級がＦ☆☆☆☆の規格の建築基準法で定められたホルムアルデヒドの放散量が最も少ない区分のものを使用して公害率の低い安全なものとする。４は中に入れる花が蓋を開けずに見えるようにＦＩＸ窓に施工する。５はデザインのため、ポイントをガラスのビーズを用いて花の華やかさを補うような演出をも施す。
【０００８】
【図２】
のように収納時蓋を閉じたとき、いずれにも隙間のない仕上げし、ほこりがかぶらないものとする。
【０００９】本考案の一実施例は上述による構成に従って作り、さらに内部の木の表面にはサンドペーパーをかけて木肌を凹凸なく美しくなめらかに仕上げ、プリザーブドフラワー・またはドライフラワーの花が直接本体内部に触れても花の表面などに傷みが付きにくくする工程を施す仕上げとする。
【図面の簡単な説明】
【００１０】
【図１】本考案のプリザーブドフラワー・ドライフラワー収納ディスプレイＢＯＸの一実施例を示す正面開閉図である。
【図２】本収納ディスプレイＢＯＸの蓋閉鎖時の鳥瞰図（立体図）である。
【符号の説明】
【００１１】１  本体蓋開閉時を記す
２  本体内部
３  本体表（外部）
４  ガラス
５  ビーズ装飾
【図１】
0003130591.tif 000003
【図２】
0003130591.tif 000004
【手続補正書】
【提出日】平成18年3月24日(2006.3.24)
【手続補正１】
【補正対象書類名】明細書
【補正対象項目名】全文
【補正方法】変更
【補正の内容】
【考案の詳細な説明】
【技術分野】
【０００１】本考案は、プリザーブドフラワー・ドライフラワーを桐の効果で湿気や虫から守り、見た目にも美しく収納・機能的にディスプレイするための使いやすい形状のプリザーブドフラワー・ドライフラワー収納ディスプレイＢＯＸである。
【背景技術】
【０００２】湿気を嫌うプリザーブドフラワー・ドライフラワーの保管やディスプレイするために、適した材質且つ適した構造の使いやすいものに収納するための良い方法はないか悩んでいた。
【考案者が解決しようとする課題】
【０００３】いままでプリザーブドフラワーやドライフラワーを安心して保管できるものがなかった。尚且つ構造的にも中身の出し入れがし易く収納できるもので、ディスプレイするにあたっては、壁掛けはもちろんできても、本体に支えがない状態で立たせることもできる額のような役割をもったＢＯＸというものはなかった。従って、通気性がありながら防湿・防虫効果の高い、適した材料を使った、ディスプレイするにあたっても多機能的な構造のプリザーブドフラワー・ドライフラワーのための収納ディスプレイＢＯＸが作れないかと考えた。
【課題を解決しようとするための手段】
【０００４】このプリザーブドフラワー・ドライフラワー収納ディスプレイＢＯＸを造るにおいて、簡単に開け閉めできるような蓋が付いている四角のＢＯＸ状のもので、その蓋は、一部ガラス（透明アクリル板でも可）がＦＩＸに入れてあり中に入れているものが見えるような形状にして、蓋と本体は一部ジョイントされ立てたときには開かないような留め具を付け、
且つテーブルなどの上に飾る場合には支えがなくても少し斜めに立ててディスプレイできるように蓋の大きさを本体ＢＯＸよりひとまわり大きくし、その蓋は正面から見ると額縁的なデザインであり、プリザーブドフラワー・ドライフラワーを入れて見た目にも美しく、収納・ディスプレイしていても天然木の桐を材質とするため防湿・防虫効果が高く、形状変動がしにくい、以上の構成からなるプリザーブドフラワー・ドライフラワー収納ディスプレイＢＯＸ。
【考案の効果】
【０００５】上述のように、本考案のプリザーブドフラワーディスプレイ・ドライフラワー収納ディスプレイＢＯＸは、四角い形状なのでどこに飾っても置いても収まりやすく、美しく収納したりディスプレイできる。且つ、材質に天然木の桐を使ったので花を湿気から守り、しかも中身を出し入れし易い構造にして使いやすくする。桐は重量が木材のなかでも非常に軽いので、壁にフックなどでかけても壁に重力をかけすぎず安全なものとする。
【考案を実施するための最良の形態】
【０００６】本体は桐の木材を使用した上部が空いた四角い枡形の形状とし、それに同質の上蓋をジョイントさせる。上蓋のサイズは蓋をしたときに支え無しでもスタンドさしてもディスプレイできるように、本体４辺の四角より必用に大きくする。本体にジョイントした上蓋を開閉するとき意外は本体と蓋はすきまのない状態にする。中に入れた花を表から見せたいので上蓋は一部ガラスまたは透明アクリル板をＦＩＸに入れる工法にする。
表の装飾にあたってはガラス製のビーズをポイントとしてあしらうデザインとする。以上を組み入れたプリザーブドフラワー・ドライフラワー収納ディスプレイＢＯＸとする。
【実施例】
【０００７】以下、添付図面に従って一実施例を説明する。
【図１】
１．の本体蓋部の開閉は簡易にできるものとする。
２．の内部仕上げは天然の桐の効果を生かすため無塗装とする。
３．の表部仕上げは汚れ防止とデザインのためにする塗装は（社）日本塗料工業会登録／ホルムアルデヒド放散等級がＦ☆☆☆☆の規格の建築基準法で定められたホルムアルデヒドの放散量が最も少ない区分のものを使用して公害率の低い安全なものとする。
４．は中に入れる花が蓋を開けずに見えるようにＦＩＸ窓に施工する。
５．は本体と蓋を閉じる（とめ金具：磁石）ものを付ける。
６．は本体と蓋が開閉しやすいように常にジョイントしておくため、丁番などの金具でつなぐ。
７．本体底面は２の説明同様、無塗装とする。
【図２】
【０００８】１．ように収納時蓋を閉じたとき、いずれにも隙間のない仕上げし、ほこりがかぶらないものとする。
２．立たせても蓋が開かないよう留め金具を付ける。蓋は立たせやすいように本体よりひとまわり大きくする。
３．デザインのため、ポイントをガラスのビーズを用いて花の華やかさを補うような演出を施す。
【０００９】本考案の一実施例は上述による構成に従って作り、さらに内部の木の表面にはサンドペーパーをかけて木肌を凹凸なく美しくなめらかに仕上げ、プリザーブドフラワー・またはドライフラワーの花が直接本体内部に触れても花の表面などに傷みが付きにくくする工程を施す仕上げとする。
【図面の簡単な説明】
【００１０】
【図１】本考案のプリザーブドフラワー・ドライフラワー収納ディスプレイＢＯＸの一実施例を示す正面開閉図である。
【図２】本収納ディスプレイＢＯＸの蓋を閉鎖時のスタンドさせた立体図である。
【符号の説明】
【図１】
【００１１】１．本体蓋開閉時を記す
２．本体内部
３．本体表面部
４．ガラス（又は透明アクリル板）
５．本体と蓋を閉じる
６．丁番でつなぐ
７．平らに置く
【図２】
【００１２】１．蓋を閉じた状態
２．スタンドさせた状態
３．装飾をあしらう
【手続補正２】
【補正対象書類名】実用新案登録請求の範囲
【補正対象項目名】全文
【補正方法】変更
【補正の内容】
【実用新案登録請求の範囲】
【請求項１】
このプリザーブドフラワー・ドライフラワー収納ディスプレイＢＯＸを造るにおいて、
（１）簡単に開け閉めできるような蓋が付いている四角のＢＯＸ状のもので、
（２）その蓋は、一部ガラス（透明アクリル板でも可）がＦＩＸに入れてあり中に入れているものが見えるような形状にして、
（３）蓋と本体は一部ジョイントされ立てたときには開かないような留め具を付け、
（４）且つテーブルなどの上に飾る場合には支えがなくても少し斜めに立ててディスプレイできるように蓋の大きさを本体ＢＯＸよりひとまわり大きくし、
（５）その蓋は正面から見ると額縁的なデザインであり、
（６）プリザーブドフラワー・ドライフラワーを収納・ディスプレイしていても天然木の桐を使っているため防湿・防虫効果が高く、
（７）その桐の効果を生かすため、内部と底面は無塗装とし、
（８）表の塗装に関しても建築基準法で定められたホルムアルデヒドの放散量が最も少ない区分のものを使用したうえで、
（９）木の反りが出にくい範囲内の大きさと木の厚みとして形状の変動がしにくくして、
（１０）手に持って運びやすいサイズにおさめた、
以上の構成からなるプリザーブドフラワー・ドライフラワー収納ディスプレイＢＯＸ。
【手続補正３】
【補正対象書類名】図面
【補正対象項目名】全図
【補正方法】変更
【補正の内容】
【図１】
0003130591.tif 000005
【図２】
0003130591.tif 000006
【手続補正書】
【提出日】平成18年7月31日(2006.7.31)
【手続補正１】
【補正対象書類名】明細書
【補正対象項目名】全文
【補正方法】変更
【補正の内容】
【考案の詳細な説明】
【考案者の名称】
プリザーブドフラワー・ドライフラワー収納ディスプレイＢＯＸ
【技術分野】
【０００１】本考案は、プリザーブドフラワー・ドライフラワーを桐の効果で湿気や虫から守り、見た目にも美しく収納・機能的にディスプレイするための使いやすい形状のプリザーブドフラワー・ドライフラワー収納ディスプレイＢＯＸである。
【背景技術】
【０００２】湿気を嫌うプリザーブドフラワー・ドライフラワーの保管やディスプレイするために、適した材質且つ適した構造の使いやすいものに収納するための良い方法はないか悩んでいた。
【考案者が解決しようとする課題】
【０００３】いままでプリザーブドフラワーやドライフラワーを安心して保管できるものがなかった。尚且つ構造的にも中身の出し入れがし易く収納できるもので、ディスプレイするにあたっては、壁掛けはもちろんできても、本体に支えがない状態で立たせることもできる額のような役割をもったＢＯＸというものはなかった。従って、通気性がありながら防湿・防虫効果の高い、適した材料を使った、ディスプレイするにあたっても多機能的な構造のプリザーブドフラワー・ドライフラワーのための収納ディスプレイＢＯＸが作れないかと考えた。
【課題を解決しようとするための手段】
【０００４】このプリザーブドフラワー・ドライフラワー収納ディスプレイＢＯＸを造るにおいて、簡単に開け閉めできるような蓋が付いている四角のＢＯＸ状のもので、その蓋は、一部ガラスまたは透明アクリル板がＦＩＸに入れてあり中に入れているものが見えるような形状にして、蓋と本体は一部ジョイントされ立てたときには開かないような留め具を付け、且つテーブルなどの上に飾る場合には支えがなくても少し斜めに立ててディスプレイできるように蓋の大きさを本体ＢＯＸよりひとまわり大きくし、その蓋は正面から見ると額縁的なデザインであり、プリザーブドフラワー・ドライフラワーを入れて見た目にも美しく、収納・ディスプレイしていても天然木の桐を材質とするため防湿・防虫効果が高く、形状変動がしにくい、以上の構成からなるプリザーブドフラワー・ドライフラワー収納ディスプレイＢＯＸ。
【考案の効果】
【０００５】上述のように、本考案のプリザーブドフラワーディスプレイ・ドライフラワー収納ディスプレイＢＯＸは、四角い形状なのでどこに飾っても置いても収まりやすく、美しく収納したりディスプレイできる。且つ、材質に天然木の桐を使ったので花を湿気から守り、しかも中身を出し入れし易い構造にして使いやすくする。桐は重量が木材のなかでも非常に軽いので、壁にフックなどでかけても壁に重力をかけすぎず安全なものとする。
【考案を実施するための最良の形態】
【０００６】本体は桐の木材を使用した上部が空いた四角い枡形の形状とし、それに同質の上蓋をジョイントさせる。上蓋のサイズは蓋をしたときに支え無しでもスタンドさしてもディスプレイできるように、本体４辺の四角より必用に大きくする。本体にジョイントした上蓋を開閉するとき意外は本体と蓋はすきまのない状態にする。中に入れた花を表から見せたいので上蓋は一部ガラスまたは透明アクリル板をＦＩＸに入れる工法にする。
表の装飾にあたってはガラス製のビーズをポイントとしてあしらうデザインとする。以上を組み入れたプリザーブドフラワー・ドライフラワー収納ディスプレイＢＯＸとする。
【実施例】
【０００７】以下、添付図面に従って一実施例を説明する。
［図１］
１．の本体蓋部の開閉は簡易にできるものとする。
２．の内部仕上げは天然の桐の効果を生かすために無塗装とする。
３．の表部仕上げは汚れ防止とデザインのためにする塗装は（社）日本塗料工業会登録／ホルムアルデヒド放散等級がＦ☆☆☆☆の規格の建築基準法で定められたホルムアルデヒドの放散量が最も少ない区分のものを使用して公害率の低い安全なものとする。
４．は中に入れる花が蓋を開けずに見えるようにＦＩＸ窓に施工する。
５．は本体と蓋を閉じるための金具を付ける。
６．は本体と蓋が開閉しやすいように常にジョイントしておくため金具でつなぐ。
７．本体底面は天然の桐の効果を生かすために無塗装とする。【０００８】［図２］
１．ように収納時蓋を閉じたとき、いずれにも隙間のない仕上げし、ほこりがかぶらないものとする。
２．立たせても蓋が開かないよう留め金具を付ける。蓋は立たせやすいように本体よりひとまわり大きくする。
３．デザインのため、ポイントをガラスのビーズを用いて花の華やかさを補うような演出を施す。【０００９】本考案の一実施例は上述による構成に従って作り、さらに内部の木の表面にはサンドペーパーをかけて木肌を凹凸なく美しくなめらかに仕上げ、プリザーブドフラワー・またはドライフラワーの花が直接本体内部に触れても花の表面などに傷みが付きにくくする工程を施す仕上げとする。
【図面の簡単な説明】
【００１０】
【図１】本考案のプリザーブドフラワー・ドライフラワー収納ディスプレイＢＯＸの一実施例を示す正面開閉図である。
【図２】本収納ディスプレイＢＯＸの蓋を閉鎖時のスタンドさせた立体図である。
【符号の説明】
【００１１】［図１］
１．  本体蓋開閉時を記す
２．  本体内部
３．  本体表面部
４．  ガラス又は透明アクリル板
５．  本体と蓋を閉じる
６．  丁番でつなぐ
７．  平らに置く
【００１２】［図２］
１．  蓋を閉じた状態
２．  スタンドさせた状態
３．  装飾をあしらう
【手続補正２】
【補正対象書類名】実用新案登録請求の範囲
【補正対象項目名】全文
【補正方法】変更
【補正の内容】
【実用新案登録請求の範囲】
【請求項１】
このプリザーブドフラワー・ドライフラワー収納ディスプレイＢＯＸを造るにおいて、
（１）簡単に開け閉めできるような蓋が付いている四角のＢＯＸ状のもので、
（２）その蓋は、一部ガラスまたは透明アクリル板がＦＩＸに入れてあり中に入れているものが見えるような形状にして、
（３）蓋と本体は一部ジョイントされ立てたときには開かないような留め具を付け、
（４）且つテーブルなどの上に飾る場合には支えがなくても少し斜めに立ててディスプレイできるように蓋の大きさを本体ＢＯＸよりひとまわり大きくし、
（５）その蓋は正面から見ると額縁的なデザインであり、
（６）プリザーブドフラワー・ドライフラワーを収納・ディスプレイしていても天然木の桐を使っているため防湿・防虫効果が高く、
（７）その桐の効果を生かすため、内部と底面は無塗装とし、
（８）表の塗装に関しても建築基準法で定められたホルムアルデヒドの放散量が最も少ない区分のものを使用したうえで、
（９）木の反りが出にくい範囲内の大きさと木の厚みとして形状の変動がしにくくして、
（１０）手に持って運びやすいサイズにおさめた、
以上の構成からなるプリザーブドフラワー・ドライフラワー収納ディスプレイＢＯＸ。